(57)【特許請求の範囲】
【請求項１】
便器の洗浄を行う洗浄水の流路の所定箇所に水車を配設して該流路を流れる洗浄水の水流の勢いで該水車を回転させるようにするとともに、該便器への洗浄水の吐水を制御する弁を該水車の回転駆動力にて駆動するようになし、
前記弁として第一の弁と第二の弁とを設けてそれら第一の弁及び第二の弁を前記水車により駆動するようになすとともに、
前記第一の弁及び第二の弁の各駆動装置として、（イ）前記水車の回転により回転する回転軸と、（ロ）該回転軸によって回転するカムと、（ハ）該カムに従動し該カムの回転運動に伴って前記弁の弁体を移動させる従動部材とを有する駆動装置が設けてあり、且つ各駆動装置の各カムが互いに同期して回転するようになしてあるとともに、
該各駆動装置の各カムが同一の前記回転軸に固設してあることを特徴とする便器洗浄装置。
【請求項２】
便器の洗浄を行う洗浄水の流路の所定箇所に水車を配設して該流路を流れる洗浄水の水流の勢いで該水車を回転させるようにするとともに、該便器への洗浄水の吐水を制御する弁を該水車の回転駆動力にて駆動するようになし、
前記弁として第一の弁と第二の弁とを設けてそれら第一の弁及び第二の弁を前記水車により駆動するようになすとともに、
前記第一の弁及び第二の弁の各駆動装置として、（イ）前記水車の回転により回転する回転軸と、（ロ）該回転軸によって回転するカムと、（ハ）該カムに従動し該カムの回転運動に伴って前記弁の弁体を移動させる従動部材とを有する駆動装置が設けてあり、且つ各駆動装置の各カムが互いに同期して回転するようになしてあり、
前記第一の弁は前記便器の第一吐水部に給水を行う第一給水弁、前記第二の弁は該第一吐水部とは異なった位置の第二吐水部に給水を行う第二給水弁となしてあるとともに、
前記第一給水弁及び前記第二給水弁を駆動する前記各駆動装置の前記カム形状を、各弁の弁体が異なったタイミングで開弁し且つ所定の回転角度位置で各弁体が同時に閉弁状態となるように設定してあることを特徴とする便器洗浄装置。
【請求項３】
便器の洗浄を行う洗浄水の流路の所定箇所に水車を配設して該流路を流れる洗浄水の水流の勢いで該水車を回転させるようにするとともに、該便器への洗浄水の吐水を制御する弁を該水車の回転駆動力にて駆動するようになし、
前記弁として第一の弁と第二の弁とを設けてそれら第一の弁及び第二の弁を前記水車により駆動するようになすとともに、
前記第一の弁及び第二の弁の各駆動装置として、（イ）前記水車の回転により回転する回転軸と、（ロ）該回転軸によって回転するカムと、（ハ）該カムに従動し該カムの回転運動に伴って前記弁の弁体を移動させる従動部材とを有する駆動装置が設けてあり、且つ各駆動装置の各カムが互いに同期して回転するようになしてあり、
前記第一の弁は前記洗浄水の流路の開閉を行う主弁、前記第二の弁は前記便器の第一吐水部への給水と該第一吐水部とは異なった位置の第二吐水部への給水とを切り替える切替弁となしてあるとともに、
前記第一の弁としての主弁の駆動装置における前記カムの形状が、該カムの回転開始に伴って該主弁を開き略１回転したところで該主弁を閉じる形状なしてあり、また前記第二の弁としての切替弁の駆動装置における前記カムの形状が、該主弁が開いている間に該切替弁を切替動作させる形状となしてあることを特徴とする便器洗浄装置。
【請求項４】
便器の洗浄を行う洗浄水の流路の所定箇所に水車を配設して該流路を流れる洗浄水の水流の勢いで該水車を回転させるようにするとともに、該便器への洗浄水の吐水を制御する弁を該水車の回転駆動力にて駆動するようになし、
前記弁として第一の弁と第二の弁とを設けてそれら第一の弁及び第二の弁を前記水車により駆動するようになすとともに、
前記第一の弁及び第二の弁の各駆動装置として、（イ）前記水車の回転により回転する回転軸と、（ロ）該回転軸によって回転するカムと、（ハ）該カムに従動し該カムの回転運動に伴って前記弁の弁体を移動させる従動部材とを有する駆動装置が設けてあり、且つ各駆動装置の各カムが互いに同期して回転するようになしてあり、
前記第一の弁は前記洗浄水の流路の開閉を行う主弁、前記第二の弁は前記便器の第一吐水部への給水と該第一吐水部とは異なった位置の第二吐水部への給水とを切り替える切替弁となしてあるとともに、
前記主弁の駆動装置における前記カムが、該主弁を開弁開始させるための第一及び第二の開弁作用部を周方向の異なった２位置に有しており且つ該第一開弁作用部による開弁開始と第二開弁作用部による開弁開始とが切替操作可能となしてあることを特徴とする便器洗浄装置。
【請求項５】
便器の洗浄を行う洗浄水の流路の所定箇所に水車を配設して該流路を流れる洗浄水の水流の勢いで該水車を回転させるようにするとともに、該便器への洗浄水の吐水を制御する弁を該水車の回転駆動力にて駆動するようになし、
前記弁として第一の弁と第二の弁とを設けてそれら第一の弁及び第二の弁を前記水車により駆動するようになすとともに、
前記第一の弁及び第二の弁の各駆動装置として、（イ）前記水車の回転により回転する回転軸と、（ロ）該回転軸によって回転するカムと、（ハ）該カムに従動し該カムの回転運動に伴って前記弁の弁体を移動させる従動部材とを有する駆動装置が設けてあり、且つ各駆動装置の各カムが互いに同期して回転するようになしてあり、
前記第一の弁は前記洗浄水の流路の開閉を行う主弁、前記第二の弁は前記便器の第一吐水部への給水と該第一吐水部とは異なった位置の第二吐水部への給水とを切り替える切替弁となしてあるとともに、
前記切替弁が便器のリムへの給水と排水トラップ部に向けて洗浄水をジェット噴射するジェット孔への給水とを切り替える切替弁となしてあることを特徴とする便器洗浄装置。
【請求項６】
便器の洗浄を行う洗浄水の流路の所定箇所に水車を配設して該流路を流れる洗浄水の水流の勢いで該水車を回転させるようにするとともに、該便器への洗浄水の吐水を制御する弁を該水車の回転駆動力にて駆動するようになし、
前記弁として第一の弁と第二の弁とを設けてそれら第一の弁及び第二の弁を前記水車により駆動するようになすとともに、
前記第一の弁及び第二の弁の各駆動装置として、（イ）前記水車の回転により回転する回転軸と、（ロ）該回転軸によって回転するカムと、（ハ）該カムに従動し該カムの回転運動に伴って前記弁の弁体を移動させる従動部材とを有する駆動装置が設けてあり、且つ各駆動装置の各カムが互いに同期して回転するようになしてあり、
前記第一の弁は前記洗浄水の流路の開閉を行う主弁、前記第二の弁は前記便器の第一吐水部への給水と該第一吐水部とは異なった位置の第二吐水部への給水とを切り替える切替弁となしてあるとともに、
前記水車が前記切替弁の上流部に且つ前記主弁が該水車の上流部にそれぞれ配設してあることを特徴とする便器洗浄装置。
【発明の詳細な説明】
【０００１】
【発明の属する技術分野】
この発明は便器洗浄装置に関する。
【０００２】
【従来の技術及び発明が解決しようとする課題】
従来、便器の上端周縁部に沿って設けたリムの内部通水路に導いた洗浄水をリム下面の多数の射水孔から便鉢内面に射水するとともに、便器の排水トラップ部に向ってジェット孔より洗浄水をジェット噴射し、これにより生起されるサイホン作用により汚水を排出するとともに便器内面を洗浄するようになした便器洗浄装置が公知である。
この種形式の便器洗浄装置の場合、例えばリム射水孔から洗浄水を射水した後にジェット孔から洗浄水をジェット噴射し、しかる後再びリム射水孔から洗浄水を便鉢内に射水して洗浄を終了する。
【０００３】
この便器洗浄装置の場合、リム（詳しくはリム射水孔）又はジェット孔への洗浄水の供給を切り替える必要がある。
従来、その切替えのために弁をモータ等で駆動して切替動作させることが行われている。
【０００４】
しかしながらこの場合、駆動源としてのモータ等を必要とするとともに適正なタイミングで切替動作を行うようにモータを制御する制御装置が必要であり、洗浄水の供給の切替えを行うための構造が複雑化するとともに、停電時にはモータを働かせることができないなどの問題が生ずる。
【０００５】
一方、切替弁の切替動作を洗浄水の水圧に基づいて機械的に行うようにしたものも提案されている（特開平１０−１０３５３８）。図１５〜図１７はその具体例を示している。
図１５において、２００はリム２０２の内部通水路（以下リム通水路とする）で、ここに導かれた洗浄水がリム下面の多数の射水孔２０４から便鉢内部に射水される。
【０００６】
２０６は洗浄水（水道水）の供給管で、この供給管２０６を通じて供給された洗浄水が先端のリム給水管２０８からリム通水路２００に又はジェット給水管２１０に給水される。
ここでジェット給水管２１０に給水された洗浄水は先端のノズル２１２から吐出され、その後ジェット孔２１３（図１６参照）から排水トラップ部２１４に向けて勢い良くジェット噴射される。そしてこのジェット孔２１３から噴射された洗浄水によって排水トラップ部２１４内部の満水化が促進され、便鉢内部におけるサイホン作用が助勢される。
【０００７】
供給管２０６上には流路の開閉を行う主弁としての電磁弁２１６が設けられており、更にその電磁弁２１６の下流側に、リム給水管２０８への給水とジェット給水管２１０への給水とを切り替える切替弁２１８が設けられている。
【０００８】
図１７は上記切替弁２１８の構造を具体的に示している。
同図において２２０はハウジングで内部に弁体２２２が軸方向に移動可能に収容されている。
ハウジング２２０の内部にはスプリング２２４が配設されており、そのスプリング２２４によって弁体２２２が、その一端のピストン部２２６を蓋体２２８に当接させる向き（図中右向き）に付勢されている。
【０００９】
ハウジング２２０には、供給管２０６からの洗浄水を弁体２２２内部に流入させる流入ポート２３０，上記ジェット給水管２１０に連通したジェットポート２３２及びリム通水路２００に連通したリムポート２３４が設けられている。
一方、弁体２２２にはその内部に流入した洗浄水をジェットポート２３２に流出させるジェット側連通孔２３６及びリムポート２３４に流出させるリム側連通孔２３８，２３９が設けられている。
【００１０】
この切替弁２１８は次のように動作する。
図１７は弁体２２２がリム側連通孔２３８をハウジング２２０のリムポート２３４に連通させた状態にあり、この状態において弁体２２２内部に洗浄水が流入ポート２３０を通じて流入すると、その流入した洗浄水が弁体２２２内部からリム側連通孔２３８を通じてリムポート２３４に流出する。
リムポート２３４に流出した洗浄水はリム２０２内部のリム通水路２００を経て多数の射水孔２０４から便鉢内に射水される。
【００１１】
弁体２２２内部に流入した洗浄水は、また、ピストン部２２６の中心部に形成された連通孔２４０を通じてピストン部２２６と蓋体２２８との間の加圧室２４２内に流入し、そこに水圧を発生させる。
【００１２】
ピストン部２２６は、加圧室２４２に対する受圧面積が弁体２２２内部に対する受圧面積よりも大きくされており、従って弁体２２２は加圧室２４２に発生した水圧によって漸次図中左方に移動させられる。
そしてあるところで弁体２２２のリム側連通孔２３８とハウジング２２０のリムポート２３４との連通が遮断され、これに代ってジェット側連通孔２３６とジェットポート２３２とが連通した状態となる。
【００１３】
ここにおいて弁体２２２内部に流入した洗浄水は、今度はそのジェットポート２３２から流出し、そしてジェット給水管２１０を経て先端のノズル２１２から吐出される。即ちここにおいてジェット孔２１３から洗浄水がジェット噴射される。
【００１４】
弁体２２２は更に引き続いて図中左方に移動し、その過程でジェット側連通孔２３６とジェットポート２３２との連通が遮断して、今度は弁体２２２側のリム側連通孔２３９がリムポート２３４に連通した状態となり、ここにおいて弁体２２２内部の洗浄水が再びリム通水路２００に供給される。
この段階で弁体２２２のストッパ部２４４とハウジング２２０のストッパ部２４６とが当接した状態となり、以後弁体２２２は図中左方への移動が阻止される。
【００１５】
以上で１回の便器洗浄が終了し、ここにおいて上記電磁弁２１６が閉弁動作する。
尚電磁弁２１６は押ボタンスイッチのオン操作により開弁動作し、そして一定時間経過するとタイマにより自動的に閉弁動作する。
【００１６】
而して電磁弁２１６の閉弁動作により流入ポート２３０への洗浄水の供給が停止すると、ここにおいて弁体２２２はハウジング２２０内部のスプリング２２４の付勢力で図中右方に押し出され、ピストン部２２６が蓋体２２８に当接する位置、即ち初期位置に復帰する。
【００１７】
しかしながらこの図１５〜図１７に示す便器洗浄装置の場合、水圧を利用して洗浄水の切替えを機械的に行い得るものの、洗浄水切替えのための弁構造が複雑であり、また洗浄水の供給・遮断を制御するための開閉弁として電磁弁２１６を別途に必要とする問題がある。
また１回の洗浄に用いられる洗浄水の総流量が給水圧により変動してしまう問題があり、また電磁弁２１６の閉弁のためのタイマ等が別途に必要であるといった問題がある。
【００１８】
以上リム給水とジェット給水とを切り替えて便器洗浄を行う便器洗浄装置を例として従来の便器洗浄装置の不具合を説明したが、単一の弁によって洗浄水の供給と遮断を行うようになした便器洗浄装置においても同様の問題が内在する。
【００１９】
【課題を解決するための手段】
本発明はこのような課題を解決するためになされたものである。
而して請求項１の便器洗浄装置は、便器の洗浄を行う洗浄水の流路の所定箇所に水車を配設して該流路を流れる洗浄水の水流の勢いで該水車を回転させるようにするとともに、該便器への洗浄水の吐水を制御する弁を該水車の回転駆動力にて駆動するようになし、前記弁として第一の弁と第二の弁とを設けてそれら第一の弁及び第二の弁を前記水車により駆動するようになすとともに、前記第一の弁及び第二の弁の各駆動装置として、（イ）前記水車の回転により回転する回転軸と、（ロ）該回転軸によって回転するカムと、（ハ）該カムに従動し該カムの回転運動に伴って前記弁の弁体を移動させる従動部材とを有する駆動装置が設けてあり、且つ各駆動装置の各カムが互いに同期して回転するようになしてあるとともに、該各駆動装置の各カムが同一の前記回転軸に固設してあることを特徴とする。
【００２０】
請求項２の便器洗浄装置は、便器の洗浄を行う洗浄水の流路の所定箇所に水車を配設して該流路を流れる洗浄水の水流の勢いで該水車を回転させるようにするとともに、該便器への洗浄水の吐水を制御する弁を該水車の回転駆動力にて駆動するようになし、前記弁として第一の弁と第二の弁とを設けてそれら第一の弁及び第二の弁を前記水車により駆動するようになすとともに、前記第一の弁及び第二の弁の各駆動装置として、（イ）前記水車の回転により回転する回転軸と、（ロ）該回転軸によって回転するカムと、（ハ）該カムに従動し該カムの回転運動に伴って前記弁の弁体を移動させる従動部材とを有する駆動装置が設けてあり、且つ各駆動装置の各カムが互いに同期して回転するようになしてあり、前記第一の弁は前記便器の第一吐水部に給水を行う第一給水弁、前記第二の弁は該第一吐水部とは異なった位置の第二吐水部に給水を行う第二給水弁となしてあるとともに、前記第一給水弁及び前記第二給水弁を駆動する前記各駆動装置の前記カム形状を、各弁の弁体が異なったタイミングで開弁し且つ所定の回転角度位置で各弁体が同時に閉弁状態となるように設定してあることを特徴とする。
【００２１】
請求項３の便器洗浄装置は、便器の洗浄を行う洗浄水の流路の所定箇所に水車を配設して該流路を流れる洗浄水の水流の勢いで該水車を回転させるようにするとともに、該便器への洗浄水の吐水を制御する弁を該水車の回転駆動力にて駆動するようになし、前記弁として第一の弁と第二の弁とを設けてそれら第一の弁及び第二の弁を前記水車により駆動するようになすとともに、前記第一の弁及び第二の弁の各駆動装置として、（イ）前記水車の回転により回転する回転軸と、（ロ）該回転軸によって回転するカムと、（ハ）該カムに従動し該カムの回転運動に伴って前記弁の弁体を移動させる従動部材とを有する駆動装置が設けてあり、且つ各駆動装置の各カムが互いに同期して回転するようになしてあり、前記第一の弁は前記洗浄水の流路の開閉を行う主弁、前記第二の弁は前記便器の第一吐水部への給水と該第一吐水部とは異なった位置の第二吐水部への給水とを切り替える切替弁となしてあるとともに、前記第一の弁としての主弁の駆動装置における前記カムの形状が、該カムの回転開始に伴って該主弁を開き略１回転したところで該主弁を閉じる形状なしてあり、また前記第二の弁としての切替弁の駆動装置における前記カムの形状が、該主弁が開いている間に該切替弁を切替動作させる形状となしてあることを特徴とする。
【００２２】
請求項４の便器洗浄装置は、便器の洗浄を行う洗浄水の流路の所定箇所に水車を配設して該流路を流れる洗浄水の水流の勢いで該水車を回転させるようにするとともに、該便器への洗浄水の吐水を制御する弁を該水車の回転駆動力にて駆動するようになし、前記弁として第一の弁と第二の弁とを設けてそれら第一の弁及び第二の弁を前記水車により駆動するようになすとともに、前記第一の弁及び第二の弁の各駆動装置として、（イ）前記水車の回転により回転する回転軸と、（ロ）該回転軸によって回転するカムと、（ハ）該カムに従動し該カムの回転運動に伴って前記弁の弁体を移動させる従動部材とを有する駆動装置が設けてあり、且つ各駆動装置の各カムが互いに同期して回転するようになしてあり、前記第一の弁は前記洗浄水の流路の開閉を行う主弁、前記第二の弁は前記便器の第一吐水部への給水と該第一吐水部とは異なった位置の第二吐水部への給水とを切り替える切替弁となしてあるとともに、前記主弁の駆動装置における前記カムが、該主弁を開弁開始させるための第一及び第二の開弁作用部を周方向の異なった２位置に有しており且つ該第一開弁作用部による開弁開始と第二開弁作用部による開弁開始とが切替操作可能となしてあることを特徴とする。
【００２３】
請求項５の便器洗浄装置は、便器の洗浄を行う洗浄水の流路の所定箇所に水車を配設して該流路を流れる洗浄水の水流の勢いで該水車を回転させるようにするとともに、該便器への洗浄水の吐水を制御する弁を該水車の回転駆動力にて駆動するようになし、前記弁として第一の弁と第二の弁とを設けてそれら第一の弁及び第二の弁を前記水車により駆動するようになすとともに、前記第一の弁及び第二の弁の各駆動装置として、（イ）前記水車の回転により回転する回転軸と、（ロ）該回転軸によって回転するカムと、（ハ）該カムに従動し該カムの回転運動に伴って前記弁の弁体を移動させる従動部材とを有する駆動装置が設けてあり、且つ各駆動装置の各カムが互いに同期して回転するようになしてあり、前記第一の弁は前記洗浄水の流路の開閉を行う主弁、前記第二の弁は前記便器の第一吐水部への給水と該第一吐水部とは異なった位置の第二吐水部への給水とを切り替える切替弁となしてあるとともに、前記切替弁が便器のリムへの給水と排水トラップ部に向けて洗浄水をジェット噴射するジェット孔への給水とを切り替える切替弁となしてあることを特徴とする。
【００２４】
請求項６の便器洗浄装置は、便器の洗浄を行う洗浄水の流路の所定箇所に水車を配設して該流路を流れる洗浄水の水流の勢いで該水車を回転させるようにするとともに、該便器への洗浄水の吐水を制御する弁を該水車の回転駆動力にて駆動するようになし、前記弁として第一の弁と第二の弁とを設けてそれら第一の弁及び第二の弁を前記水車により駆動するようになすとともに、前記第一の弁及び第二の弁の各駆動装置として、（イ）前記水車の回転により回転する回転軸と、（ロ）該回転軸によって回転するカムと、（ハ）該カムに従動し該カムの回転運動に伴って前記弁の弁体を移動させる従動部材とを有する駆動装置が設けてあり、且つ各駆動装置の各カムが互いに同期して回転するようになしてあり、前記第一の弁は前記洗浄水の流路の開閉を行う主弁、前記第二の弁は前記便器の第一吐水部への給水と該第一吐水部とは異なった位置の第二吐水部への給水とを切り替える切替弁となしてあるとともに、前記水車が前記切替弁の上流部に且つ前記主弁が該水車の上流部にそれぞれ配設してあることを特徴とする。
【００２５】
【作用及び発明の効果】
請求項１の便器洗浄装置では、洗浄水の流路の所定箇所に水車を配設して水流の勢いでこれを回転させるとともに、便器への洗浄水の吐水を制御する弁として第一の弁と第二の弁とを設けて、それらをその水車の回転駆動力にて駆動するようになしており、この洗浄装置では水車の回転駆動力にて弁を機械的に駆動することができ、従って電気的に弁を駆動する従来の洗浄装置において必要とされていたモータ等のアクチュエータやその制御装置を不要となし得、また停電時においても支障なく弁を働かせることができる。
【００２６】
更に請求項１の便器洗浄装置では、それら各弁の駆動装置として、回転軸と、その回転軸によって回転するカムと、カムに従って従動運動し各弁の弁体を移動させる従動部材とを有する装置を設けておき、且つそれら各駆動装置のカムを互いに同期して回転させるようになしてあり、これにより、カムの形状を適当に設定しておくことによって、弁体の開閉等の動作パターンを任意且つ自由に設定することができるとともに、容易に各弁を互いに連携して動作させることができる。
【００２７】
また水車の総回転数は流路を流れる洗浄水の総水量によって規定できるから、例えば上記弁を開閉弁となした場合において開弁から閉弁に到るまでの洗浄水の総供給水量を確実に予め設定した一定の水量となすことが可能となる。
【００２８】
尚上記弁を開閉弁とした場合において、開弁から閉弁までを上記水車の回転駆動力にて駆動するようになすことができるが、この場合洗浄水の供給開始時のみ手動操作で弁を僅かに開くようにすることができる。
これにより流路を洗浄水が流れるようになるから、その後は水車の回転駆動力で引続き弁を一杯まで自動的に開弁動作させ、その後閉弁動作させることができる。
【００２９】
但し場合によって弁をバイパスするようにして洗浄水流路の弁の上流部と下流部とをパイロット流路で連絡してそこにパイロット弁を設けておき、そのパイロット弁の開操作によって水車の回転開始及びこれに伴う弁の開弁動作を開始させるようになすこともできる。
この場合パイロット流路の流路面積は小さくて良いから、僅かな操作力で水車の回転開始及び弁の開弁動作を行わせることが可能となる。
また場合によってパイロット弁の開弁についてはスイッチ操作により電気的になすようにしても良い。
【００３０】
請求項１の便器洗浄装置では、上記各駆動装置のそれぞれのカムは同一の回転軸に固設しておく。
このようにすれば各カムを容易に同期して回転させることができる。
【００３１】
請求項２の便器洗浄装置では、第一の弁を便器の第一吐水部に給水を行う第一給水弁となし、また第二の弁を第一吐水部とは異なった位置の第二吐水部に給水を行う第二給水弁となすとともに、上記第一給水弁及び第二給水弁の各駆動装置ごとに各カムの形状を異ならせることによって、それら第一給水弁及び第二給水弁の動作パターンないし動作タイミングを自由且つ容易に異ならせることができる。
而して各駆動装置ごとにカムの形状を異ならせることによって各弁を異なったタイミングで開弁させることで、それら第一給水弁，第二給水弁として開閉弁を用いながら全体としてそれらを切替弁として働かせることが可能となる。
また第一給水弁及び第二給水弁の各弁体が同時に閉弁状態となるようにそれぞれのカムの形状を設定しておくことにより、各カムが一定角度回転したところで各弁の弁体を閉弁状態として水車を回転停止させ、洗浄水の供給を自動的に停止させるようになすことができる。
即ちタイマ等の電気的手段を用いたり或いは洗浄水停止のための手動操作を行わなくても自動的に洗浄水の供給を停止し、便器洗浄を終了させるようになすことができる。
【００３２】
また請求項３の便器洗浄装置は、第一の弁を洗浄水の流路の開閉を行う主弁となし、また第二の弁を便器の第一吐水部への給水とこれとは異なった位置の第二吐水部への給水とを切り替える切替弁となすとともに、その主弁の駆動装置におけるカムの形状を、回転開始に伴って主弁を開き略１回転したところで主弁を閉じる形状となすとともに、切替弁の駆動装置におけるカムの形状を、主弁が開いている間に切替弁を切替動作させる形状となしたもので、このようにすることにより便器の第一吐水部への給水と第二吐水部への給水とを行うことが可能となるとともにそれらへの給水を良好に切り替えることができる。
【００３３】
請求項４の便器洗浄装置は、第一の弁として主弁を、また第二の弁として切替弁を設けるとともに、主弁の駆動装置におけるカムに、主弁を開弁開始させるための第一及び第二の開弁作用部を周方向の異なった２位置に設けて、それら第一開弁作用部による開弁開始と第二開弁作用部による開弁開始とが切替操作可能となしたもので、この請求項４の便器洗浄装置の場合、第一開弁作用部による主弁の開弁開始と、第二開弁作用部による主弁の開弁開始とを切り替えることで主弁の開弁開始時期を早く又は遅く調整することができる。即ち給水の開始時期を早く又は遅く調整することができる。
この結果１回の洗浄に消費される総水量を多く又は少なく調整することが可能となる。
従って例えば大便の際の洗浄水量を多く、小便の際の洗浄水量を少なくすることが可能で、これにより必要且つ適正な量だけ洗浄水を流し便器を洗浄することができる。
【００３４】
請求項５の便器洗浄装置では、第一の弁として主弁を、また第二の弁として切替弁を設けるとともに、この切替弁を便器のリムへの給水とジェット孔への給水とを切り替える切替弁となす。
【００３５】
請求項６の便器洗浄装置は、水車の上流部に主弁を配設したものである。
かかる水車は主弁の上流部に配設しておくことも可能であるが、この場合水車ないし水車室に常時水圧がかかった状態となり、水車室を耐圧構造としておかなければならないし、また場合によって給水圧によりシール部で水漏れなどを起こす恐れが生ずる。
しかるに水車の上流部に流路の開閉を行う主弁を配設しておけば、主弁の流路閉止作用により水車室に給水圧が常時加わるといったことがなく、上記のような不都合を生じない利点が得られる。
【００３６】
【実施例】
次に本発明の実施例を図面に基づいて詳しく説明する。
図１において１０は便器（洋風大便器）で、１２は便鉢、１４は便器上端の周縁部に沿って設けられたリムである。
リム１４の内部にはリム通水路１６が形成されており、更にリム１４の下面にはリム通水路１６に連通する多数の射水孔１８が周方向に所定ピッチで形成されており、リム通水路１６内の洗浄水がそれら射水孔１８から便鉢１２内部に射水されるようになっている。
【００３７】
２０は便器１０を洗浄するための洗浄水（水道水）を供給する供給管で、この供給管２０を通じて供給された洗浄水が先端のリム給水管２２からリム通水路１６へと給水され、或いはジェット給水管２４を通じてジェット孔２６へと給水される。
【００３８】
ジェット孔２６に給水された洗浄水は、このジェット孔２６から便器１０の排水トラップ部２８に向けて噴射されて排水トラップ部２８内部を満水化させ、サイホン作用を助勢する。
供給管２０を通じて供給される洗浄水の流路上には本例の便器洗浄装置の主体である弁装置３０が配設されている。
【００３９】
図２はその弁装置３０の構造を具体的に示している。
同図において３２は水車で、供給管２０内部を流通する洗浄水の水流の勢いで回転させられるようになっている。
ここで水車３２は、ハウジング３４に形成された水車室３６内部に回転可能に配設されている。
【００４０】
水車室３６は供給管２０に連通する状態で設けられており、供給管２０を通じて送られた洗浄水は開口４０より水車室３６内に流入し、そして水車３２を回転させた後、別の開口４２を通じて水車室３６から供給管２０内に流入する。
尚、ハウジング３４には水車室３６の上面の開放部を閉鎖する蓋３８が設けられている。
【００４１】
水車３２は図中下向きに延びる回転軸４４を有しており、その回転軸４４の先端部にウォームギヤ４６が固設されている。
供給管２０は先端部が二股に分岐しており、その一方の分岐管４８が上記リム給水管２２に、また他方の分岐管５０がジェット給水管２４に、それぞれリム給水弁５２，ジェット給水弁５４を介して連絡されている。
ここでリム給水弁５２，ジェット給水弁５４は、全体としてリム給水，ジェット給水を切り替える切替弁５６として働く。
【００４２】
リム給水弁５２はリム側の流路を開放・閉鎖する開閉弁であって、図３に示しているように弁ハウジング５８内部にピストン式の弁体６０を有しており、その弁体６０が弁座６２に当接することによって流路を閉鎖（閉弁）し、また弁体６０が弁座６２から離間することによって流路を開放（開弁）するようになっている。
弁ハウジング５８内部には圧縮コイルスプリングから成る戻しばね６４が配設されており、その戻しばね６４によって弁体６０が弁座６２に当接する向きに付勢されている。
【００４３】
一方、ジェット給水弁５４もまたジェット側の流路を開放・閉鎖する開閉弁であって、図４に示しているように弁ハウジング６６内部にピストン式の弁体６８を有しており、その弁体６８が弁座７０に当接することによって流路を閉鎖し、また弁体６８が弁座７０から離間することによって流路を開放するようになっている。
弁ハウジング６６内部には圧縮コイルスプリングから成る戻しばね７２が配設されており、この戻しばね７２によって弁体６８が弁座７０に当接する向きに付勢されている。
【００４４】
図２において、７４，７６はそれぞれリム給水弁５２，ジェット給水弁５４を駆動する駆動装置であって共通の回転軸７８を有している。
回転軸７８の端部にはホイールギヤ８０が固設されており、このホイールギヤ８０がウォームギヤ４６に噛み合わされている。
即ち水車３２の回転によって各駆動装置７４，７６における共通の回転軸７８が回転させられるようになっている。
【００４５】
各駆動装置７４，７６はリム給水弁５２，ジェット給水弁５４における各弁体６０，６８に連結された作用ロッド８２，８４を有しており、それら作用ロッド８２，８４の軸方向の移動によって各弁体６０，６８を開閉させるようになっている。
【００４６】
各駆動装置７４，７６はまた、回転軸７８に固設されてこれと一体回転するカム８６，８８と、それらカム８６，８８の回転運動に従動する従動部材としての枠体９０，９２を備えており、それら各枠体９０，９２がリム給水弁５２，ジェット給水弁５４における上記作用ロッド８２，８４にそれぞれ連結されている。
【００４７】
各枠体９０，９２は、図３及び図４に示しているようにそれぞれ四角形状（ここでは正方形状）をなしており、それぞれのカム８６，８８に当接する当接部９４，９６を備えている。
ここで当接部９４，９６はそれぞれ回転軸７８に対して直角且つストレート形状をなしている。厳密には各当接部９４，９６におけるカム８６，８８への当接面である内面が、回転軸７８に対し直角且つストレート形状をなしている。
【００４８】
駆動装置７４側のカム８６は、図３に示しているようにその外周面が一対の楕円形状部８６Ａと、これに続く一対の円弧形状部８６Ｂと、それら円弧形状部８６Ｂ及び楕円形状部８６Ａをつなぐ一対のストレート形状部８６Ｃに分かれている。
ここでカム８６は、１８０°回転するごとに従動部材としての枠体９０に同一運動を繰り返させる形状をなしている。
【００４９】
他方駆動装置７６側のカム８８は、図４に示しているようにその外周面形状が楕円形状部８８Ａ，円弧形状部８８Ｂ，ストレート形状部８８Ｃ，円弧形状部８８Ｄに分れている。
【００５０】
次に本例の便器洗浄装置の作用を説明する。
図５（Ｉ）はリム給水弁５２及びジェット給水弁５４の何れもが流路を閉鎖した状態を示している。
このときリム給水弁５２側の駆動装置７４のカム８６は、ストレート形状部８６Ｃが枠体９０の当接部９４に当接した状態にあり、またジェット給水弁５４側の駆動装置７６のカム８８は、円弧形状部８８Ｄが枠体９２の当接部９６に当接した状態にある。
この状態では供給管２０内を洗浄水が流通しておらず、従って水車３２は回転停止した状態にある。
【００５１】
この状態で手動操作（レバー操作等）により、例えばリム給水弁５２側の駆動装置７４の作用ロッド８２を僅かに引くと、ここにおいて供給管２０内を洗浄水が流れ始め、これにより水車３２が回転し始める。
するとその回転駆動力がウォームギヤ４６，ホイールギヤ８０を介して回転軸７８に伝達されて回転軸７８が回転し始める。即ち一対のカム８６，８８が図５中矢印方向に回転し始める。
【００５２】
ここでカム８６が回転すると、図５（II）に示しているように従動部材である枠体９０の当接部９４がカム８６の楕円形状部８６Ａによって図中左方に押し出されて弁体６０が作用ロッド８２により図３中左方に後退運動させられる。即ち弁体６０が戻しばね６４の付勢力に抗して開弁運動する。
そしてカム８６が図５（Ｉ）に示す当初の位置から丁度９０°回転したところで弁体６０が後退端に達する。
【００５３】
この間ジェット給水弁５４側のカム８８は円弧形状部８８Ｄが枠体９２の当接部９６に当接した状態にあって、カム８８の回転にも拘らず枠体９２は当初の位置を保った状態にあり、従ってこの間ジェット給水弁５４側においては弁体６８は開弁運動せず、当初の閉弁状態を維持している。
【００５４】
即ちカム８６，８８が最初に９０°回転する間は、リム給水管２２側にのみ洗浄水が供給され、これによりリム１４の射水孔１８からのみ射水が行われて便器洗浄がなされる。
【００５５】
上記のように各カム８６，８８が当初の位置から９０°回転すると、ここにおいてカム８６側においては円弧形状部８６Ｂが当接部９４に当接するに到り、従ってこの状態ではカム８６が回転運動しても枠体９０は移動しない。
即ち円弧形状部８６Ｂが当接部９４に当接している間、カム８６の回転運動にも拘わらずリム給水弁５２側の弁体６０は引続き後退端に保持される。
【００５６】
他方ジェット給水弁５４側のカム８８は、当初の位置から９０°回転した段階で楕円形状部８８Ａが当接部９６に当接するに到り、従ってその後カム８８が回転運動すると、枠体９２が図５（III）に示しているように図中左方に押し出されて、ジェット給水弁５４側の弁体６８が後退運動、即ち開弁運動させられる。
【００５７】
即ち各カム８６，８８が当初の位置から９０°を超えて回転運動したときに、即ち図５（III）に示す状態においてリム給水弁５２及びジェット給水弁５４何れも開弁状態となって、リム給水管２２，ジェット給水管２４の何れにも洗浄水が供給される。
而してジェット給水管２４に供給された洗浄水はジェット孔２６から便器１０内にジェット噴射される。
【００５８】
図６（IV）は各カム８６，８８が更に回転した状態を示している。
この状態ではリム給水弁５２側のカム８６は再びストレート形状部８６Ｃが枠体９０の当接部９４に当接した状態となり、ここにおいてリム給水弁５２側の弁体６０は当初の位置に戻る。即ち閉弁状態に戻る。
【００５９】
一方、ジェット給水弁５４側のカム８８は枠体９２を図中左方に押し出した状態にあり、従ってジェット給水弁５４は依然開かれた状態にあって、ジェット給水管２４には引続き洗浄水が供給され続ける。
即ちここにおいて洗浄水の供給がリム給水管２２側からジェット給水管２４側へと完全に切り替わる。
【００６０】
図６（IV）の状態から更にカムが回転運動して図６（Ｖ）の状態に達すると、ここにおいて再びリム給水弁５２が開弁状態，ジェット給水弁５４が閉弁状態となり、ここにおいて再び洗浄水の供給がジェット給水管２４側からリム給水管２２側へと切り替わる。
ここにおいてジェット孔２６からのジェット噴射が停止するとともに、リム１４の射水孔１８からの射水が行われて再びリム洗浄が行われる。
【００６１】
そして図６（VI）に示しているように各カム８６，８８が当初の状態から丁度１回転したところで、リム給水弁５２，ジェット給水弁５４の各弁体６０，６８が何れも閉弁状態となり、これに伴って供給管２０内の洗浄水の流れも停止して水車３２も回転停止し、ここにおいて１回の洗浄が自動的に停止する。
【００６２】
上記のように本例の洗浄装置では、水車３２の回転駆動力でリム給水弁５２，ジェット給水弁５４を機械的に開閉駆動することができ、またそれらリム給水弁５２，ジェット給水弁５４全体として洗浄水の切替動作を機械的に行うことができ、従って電気的に弁を駆動する従来の洗浄装置において必要とされていたモータ等のアクチュエータやその制御装置を不要となすことができる。また停電時においても支障なく各弁５２，５４を働かせることができる。
更に水車３２の総回転数は流路を流れる洗浄水の総水量によって決まってくるから、１回の洗浄のための洗浄水の総水量を確実に予め設定した一定の水量となすことができる。
【００６３】
また本例ではリム給水弁５２，ジェット給水弁５４の各駆動装置７４，７６を共通の回転軸７８，カム８６，８８，枠体９０，９２及び作用ロッド８２，８４にて構成してあるから、各駆動装置７４，７６を簡単な構造で構成することができる。
【００６４】
加えてカム８６，８８の回転運動によってリム給水弁５２，ジェット給水弁５４の各弁体６０，６８を移動させるようにしているため、カム形状の設定によって各弁体６０，６８の開閉の動作パターンを任意且つ適正に設定することができ、ひいてはリム給水弁５２，ジェット給水弁５４全体で構成される切替弁５６の切替えのパターンや切替えタイミングを適正に且つ容易に設定することができる。
【００６５】
また本例では共通の回転軸７８にて各駆動装置７４，７６のカム８６，８８を回転運動させるようにしているため、リム給水弁５２，ジェット給水弁５４の各弁体６０，６８の動作を精度高く連動ないし同期させることができる。
【００６６】
図７に示しているように、本発明においては例えばリム給水弁５２をバイパスする形でパイロット配管９８を設けてそこにパイロット弁（電磁弁等）１００を設け、そのパイロット弁１００によりパイロット配管９８内部のパイロット流路を開閉するようになすこともできる。
【００６７】
このようにした場合、パイロット弁１００を開くことによって水車３２を回転開始することができ、しかもパイロット流路の流路面積は小さくしておくことができるから、パイロット弁１００の開閉のための力は僅かな力で済む。
【００６８】
この場合においてパイロット弁１００の開閉はスイッチ操作によって行うようになしても良いし、或いはまた人体検知センサ１０２を設けておいて、そのセンサ１０２の人体感知の有無によりパイロット弁１００を開閉させるようになしても良い。
【００６９】
また水車３２の回転軸４４に発電機１０４を設けておいて水車３２の回転によって発電させ、その電力を蓄電池１０６等の蓄電手段に蓄えておいて、上記センサ１０２その他の電源となすこともできる。
【００７０】
尚、発電機１０４は回転軸４４と一体に永久磁石１０８を回転させ（永久磁石１０８は周方向にＮ，Ｓ極が交互となるように着磁されている）、このとき永久磁石１０８の回転による磁束の変化を妨げる方向にコイル１１０に電流を惹起させ、電力を発生する。
【００７１】
図８〜図１４は本発明の他の実施例を示している。
先ず図８〜図１０において、１１２は洗浄水の流路の開閉を行う開閉弁としての主弁で、１１４は洗浄水の給水をリム側からジェット側に或いはその逆に切り替える切替弁であり、これら主弁１１２と切替弁１１４との間に水車３２が配設されている。
ここで主弁１１２の弁ハウジング１１６，水車３２のハウジング３４及び切替弁１１４の弁ハウジング１１８は一体に結合されている。
【００７２】
主弁１１２は、弁ハウジング１１６内部にピストン式の弁体１２０を有しており、その弁体１２０が弁座１２２に当接することによって流路を閉止（閉弁）し、また弁体１２０が弁座１２２から離間することによって流路を開放（開弁）するようになっている。
ここで弁体１２０は、圧縮コイルスプリングから成る戻しばね１２６によって弁座１２２に当接する向きに付勢されている。
【００７３】
この主弁１１２は、弁体１２０が開いた状態の下で供給管２０からの洗浄水を図８の流入ポート１２４から内部に流入させ、続いてこれを開口４０を通じて水車室３６内に流入させる。
水車３２はこの水車室３６内に流入する洗浄水の水流の勢いで回転運動する。
【００７４】
一方切替弁１１４は、図８に示しているように弁ハウジング１１８に、リム側に給水を行うためのリムポート１２８とジェット側に給水を行うためのジェットポート１３０とが９０°隔てた向きに形成されている。
また弁ハウジング１１８の内部には、図１０に示しているように略円筒形状の回転式の弁体１３２が回転可能に配設されている。
【００７５】
弁体１３２には、図１１（Ｂ）に示しているように第一のポート１３４と第二のポート１３６と第三のポート１３８とがそれぞれ９０°ずつ異なる向きに設けられている。
これら３つのポート１３４，１３６，１３８は内部通路１４０にて互いに連通状態とされている。
この弁体１３２からは回転軸１４２が延び出しており、図中その上端部にレバー１４４が固設されている。
【００７６】
図１０において、１４６，１４８はそれぞれ主弁１１２，切替弁１１４を駆動するための駆動装置であって共通の回転軸１５０を有している。
この回転軸１５０には駆動装置１４６におけるカム１５２、即ち主弁駆動用のカム１５２と、駆動装置１４８におけるカム１５４、即ち切替弁駆動用のカム１５４とが一体回転状態に且つ軸方向に隔てて設けられている。
【００７７】
これらカム１５２，１５４は、図１１（Ａ）に示しているようにそれぞれ外周形状が円形状をなしており、それぞれに凹部１５６，１５８が形成されている。
ここで凹部１５６と１５８とは、図８の斜視図及び図９の平面図に示しているように周方向に隔たった位置に形成されている。
【００７８】
尚、主弁駆動用のカム１５２の凹部１５６は周方向長が短く、また切替弁駆動用のカム１５４の凹部１５８はこれよりも周方向長が長くされている。詳しくは凹部１５８の場合、略９０°に近い角度で形成されている。
【００７９】
図１１において、１６０，１６２は凹部１５６に臨んで形成された、主弁１１２を開弁開始させるための第一及び第二開弁作用部であって、この内第二開弁作用部１６２は、今一方の第一開弁作用部１６０に対し図中上段位置に且つ矢印Ｐで示すカム１５２の回転方向において第一開弁作用部１６０よりも周方向の後側位置に形成されている。
【００８０】
図１０に示しているように、上記水車３２のハウジング３４の上面には保持プレート１６４が固設されており、その保持プレート１６４により図１１に示すカムユニット１５５、即ちカム１５２，１５４と回転軸１５０とを有するカムユニット１５５が水平方向に位置固定の状態で回転可能に保持されている。
尚主弁駆動用のカム１５２は、回転軸１５０に対し軸方向に摺動可能に嵌合されている。
【００８１】
図１０に示しているようにこの主弁駆動用のカム１５２と上記保持プレート１６４との間には、圧縮コイルスプリングから成るばね１６６が介設されており、カム１５２が常時図１０中上向きに付勢されている。
但しカム１５２は、回転軸１５０の上端部に固設されたカムハンドル１６８によって抜け防止されている。即ちカムハンドル１６８によって上昇端が規定されている。
【００８２】
主弁駆動用の上記駆動装置１４６は、屈曲形状をなす従動部材としての駆動バー１７０を有している。
駆動バー１７０は、その立上り部において保持プレート１６４に形成された溝１７２内部に水平方向に摺動可能に嵌入しており、またその立上り部の上端部には当接部１７４を備えていて、その当接部１７４がカム１５２の外周面に当接させられている。
【００８３】
この駆動バー１７０は、当接部１７４とは反対側の端部において上記主弁１１２における弁体１２０から延び出した作用ロッド１７５に連結されており、この駆動バー１７０が図１０中左右方向に移動することによって、弁体１２０が開閉動作するようになっている。
【００８４】
尚、図１０に示しているようにカムユニット１５５の回転軸１５０は、水車室３６内においてギヤ１７６，１７８を介し水車３２の回転軸４４に作動的に連結されている。即ち水車３２の回転に伴ってカムユニット１５５が図１１中矢印Ｐで示す時計方向に回転運動させられるようになっている。
【００８５】
上記切替弁１１４における弁体１３２から延び出した回転軸１４２上端部のレバー１４４には、詳しくはレバー１４４の回転軸１４２の軸心から水平方向に隔たった端部には、従動部材としての当接ロッド１８０が相対回転可能に連結されている。
【００８６】
このレバー１４４の端部と上記保持プレート１６４との間には引張コイルスプリングからなるばね１８２が張設されており、このばね１８２による付勢力によって、当接ロッド１８０の先端が切替弁駆動用のカム１５４の外周面に常時当接させられている。
【００８７】
次に本例の装置の作用を図１２及び図１３に基づいて以下に説明する。
図１２（Ｉ）は主弁１１２が閉弁した状態を示している。このとき駆動バー１７０上端部の当接部１７４は、主弁駆動用のカム１５２の凹部１５６内に入り込んだ状態にある。
この状態から駆動バー１７０を図中左方向に僅かに手動で移動操作すると、供給管２０からの洗浄水が主弁１１２の流入ポート１２４からその内部に流入し、引き続いて水車室３６内に流入する。
【００８８】
これにより水車３２が回転運動し、これに伴ってカムユニット１５５、即ち主弁駆動用のカム１５２と切替弁駆動用のカム１５４とが図中矢印Ｐで示す時計方向に回転運動させられる。
そして先ずカム１５２の第一開弁作用部１６０が当接部１７４に当接して駆動バー１７０及び作用ロッド１７５を図１０中一体に左方向に押し出し、主弁１１２の弁体１２０を開かせる（図１２(II)）。
【００８９】
図中左方向に押し出された駆動バー１７０上端部の当接部１７４は、カム１５２の外周面に乗り上げた状態となって、以後カム１５２の回転運動の間その状態を保持する。即ち主弁１１２が以後開弁状態に保持されて、供給管２０からの洗浄水が連続的に水車室３６内に流入して水車３２を引き続き回転運動させる。
【００９０】
図１２（Ｉ）及び（II）に示しているように、このとき切替弁１１４は、第一ポート１３４を水車室３６の開口４２に連通させ、また第二ポート１３６をリムポート１２８に連通させる一方、ジェットポート１３０を遮断した状態にあり、従って水車室３６から流出した洗浄水はリム側へと給水されて、前記リム１４に形成された多数の射水孔１８から便鉢１２内に射水される。
【００９１】
さて、カム１５２及び１５４が一定角度回転すると、図１２（III）に示しているようにある角度位置で当接ロッド１８０がカム１５４の凹部１５８内に落ち込み、ここにおいて図１４にも示しているように切替弁１１４が洗浄水の給水をリム側からジェット側に切り替える。即ちリムへの給水が停止されるとともにジェット孔２６への給水が行われる。
【００９２】
カム１５２及び１５４が更に矢印Ｐ方向に回転すると、図１３（IV），（Ｖ）に示しているように当接ロッド１８０が凹部１５８から押し出されて再びカム１５４の外周面に乗り上げた状態となり、ここにおいて再び切替弁１１４が洗浄水の給水をジェット側からリム側へと切り替える。
【００９３】
そしてカム１５２及び１５４が更に回転して当初の位置から略１回転すると、再び駆動バー１７０の当接部１７４がカム１５２の凹部１５６内部に落ち込み、主弁１１２が閉弁動作する（図１３(VI)）。ここにおいて便器の１回の洗浄が終了する。
【００９４】
以上はカム１５２における第一開弁作用部１６０によって主弁１１２を開弁開始させる場合であるが、本装置の場合、カムハンドル１６８によってカム１５２を図１０中下向きに押込操作し、その状態でカム１５２を回転させることによって、第二開弁作用部１６２により主弁１１２を開弁開始させるようになすことができる。
【００９５】
このようにした場合、カム１５２の回転に伴う主弁１１２の開弁開始時期を遅らせて、リム側への給水開始時期を遅くすることができる。即ち１回の洗浄に消費する洗浄水量を少なくすることができる。
【００９６】
本例においても、便器１０のリム１４への給水とジェット孔２４への給水とを行うことができるとともにそれらへの給水を良好に切り替えることができる。
【００９７】
また本例では第一開弁作用部１６０による主弁１１２の開弁開始と第二開弁作用部１６２による開弁開始とを切り替えることで、主弁１１２の開弁開始時期を早く又は遅く調整することができる。即ち給水の開始時期を早く又は遅く調整することができる。
この結果１回の洗浄に消費される総水量を多く又は少なく調整することができる。
従って例えば大便の際の洗浄水量を多く又は小便の際の洗浄水量を少なくし得、必要且つ適正な量だけ洗浄水を流して便器１０を洗浄することができる。
【００９８】
本例では、水車３２の上流部に流路の開閉を行う主弁１１２を配設しており、このようにすることで主弁１１２の流路閉止作用により水車室３６に対し給水圧が常時加わるといったことがなく、また給水圧により水漏れなどを起こすといった問題を回避することができる。
【００９９】
以上本発明の実施例を詳述したがこれはあくまで一例示である。
例えば第一，第二（図２〜図７）の実施例においては１つの水車３２にてリム給水弁５２，ジェット給水弁５４の両方を駆動するようにしているが、場合によってリム給水弁５２用の水車とジェット給水弁５４用の水車とを別々に設けて、それらにより各弁５２，５４を駆動するようになすことも可能である。
【０１００】
また第三（図８〜図１４）の実施例においても同一の水車３２にて主弁１１２と切替弁１１４とを駆動するようにしているが、場合によって別々の水車にてそれら各弁１１２，１１４を駆動するようになすことも可能である。
更に第三の実施例において、水車３２を主弁１１２の上流部に配設するといったことも場合により可能である。
【０１０１】
更に上記実施例では先ずリム側に給水を行って、次にジェット側に給水を行い、最後に再びリム側に給水を行うようにしているが、これはあくまで洗浄の１つのパターン例を示したに過ぎないもので、ジェット側への給水で洗浄を終了するなど洗浄水の供給切替えのパターンについては上例以外の様々なパターンが可能である。
【０１０２】
また第一，第二の実施例では水車３２をリム給水弁５２，ジェット給水弁５４の上流側に配置しているが、かかる水車３２をそれらリム給水弁５２，ジェット給水弁５４の下流側に設けるといったことも可能である。
例えば、リム給水弁５２及びジェット給水弁５４の下流側においてリム給水管２２とジェット給水管２４とのそれぞれに水車を設けてそれらを同一の回転軸で連結したり、或いは各別に回転軸を設けてそれら回転軸を各弁５２，５４の駆動装置の一部として用い、以って水車の回転により各弁５２，５４を駆動するようになすことも可能である。
【０１０３】
また上記実施例ではリム給水弁５２，ジェット給水弁５４又は主弁１１２，切替弁１１４を水車３２の回転駆動力で駆動するようにしているが、本発明は上記リム給水弁５２，ジェット給水弁５４や主弁１１２，切替弁１１４以外の用途，働きをなす複数の弁を同一若しくは複数の水車にて駆動するようになすことも可能であるし、また場合によって便器洗浄用の弁として単一の弁を設け、その弁を水車３２にて駆動するようになすことも可能である。
【０１０４】
更に上例ではカム８６，８８の回転によって各弁５２，５４又は１１２，１１４の弁体６０，６８及び１２０，１３２を動作させるように駆動装置７４，７６及び１４６，１４８を構成しているが、これら駆動装置を他の様々な形態で構成することも可能である。
その他本発明は上例以外の各種便器に適用することも可能であるなど、その主旨を逸脱しない範囲において種々変更を加えた形態で構成することが可能である。
【図面の簡単な説明】
【図１】  本発明の一実施例である便器洗浄装置を便器とともに示す図である。
【図２】  図１の便器洗浄装置の要部を示す斜視図である。
【図３】  図２の装置の要部を示す図である。
【図４】  図２の装置の図３とは異なる要部を示す図である。
【図５】  図２の装置の作用をカムの動きとともに示す図である。
【図６】  同装置の作用を図５に続くカムの動きとともに示す図である。
【図７】  本発明の他の実施例の要部を示す図である。
【図８】  本発明の他の実施例である便器洗浄装置の要部を示す斜視図である。
【図９】  図８の装置の平面図及び要部断面図である。
【図１０】  図８の装置の側面断面図である。
【図１１】  図８の装置のカムと切替弁の弁体の形状を示す斜視図である。
【図１２】  図８の装置の作用説明図である。
【図１３】  図８の装置の図１２に続く作用の説明図である。
【図１４】  図８の装置の弁体の動作タイミングを示すタイムチャートである。
【図１５】  従来の便器洗浄装置の例を便器とともに示す図である。
【図１６】  図１５の便器の平面断面図である。
【図１７】  図１５の便器洗浄装置の要部を示す図である。
【符号の説明】
１０  便器
１４  リム
２０  供給管
２２  リム給水管
２４  ジェット給水管
２６  ジェット孔
２８  排水トラップ部
３０  弁装置
３２  水車
５２  リム給水弁
５４  ジェット給水弁
６０，６８，１２０，１３２  弁体
７４，７６，１４６，１４８  駆動装置
７８，１５０  回転軸
８６，８８，１５２，１５４  カム
９０，９２  枠体（従動部材）
９８  パイロット配管
１００  パイロット弁
１０４  発電機
１１２  主弁
１１４  切替弁
１２８  リムポート
１３０  ジェットポート
１６０  第一開弁作用部
１６２  第二開弁作用部
１７０  駆動バー（従動部材）
１８０  当接ロッド（従動部材）
【図１】
0004084839.tif 000002
【図２】
0004084839.tif 000003
【図３】
0004084839.tif 000004
【図４】
0004084839.tif 000005
【図５】
0004084839.tif 000006
【図６】
0004084839.tif 000007
【図７】
0004084839.tif 000008
【図８】
0004084839.tif 000009
【図９】
0004084839.tif 000010
【図１０】
0004084839.tif 000011
【図１１】
0004084839.tif 000012
【図１２】
0004084839.tif 000013
【図１３】
0004084839.tif 000014
【図１４】
0004084839.tif 000015
【図１５】
0004084839.tif 000016
【図１６】
0004084839.tif 000017
【図１７】
0004084839.tif 000018